(57)【要約】【課題】  場所や商品種類を問わず、どこからでも電子サービスを享受することができる。【解決手段】  本発明に係る電子サービス提供システム１００は携帯電話機１、電子サービスの提供をするサーバ装置４、電子サービスを享受するためのＩＤやパスワードの享受情報をＲＦＩＤ無線タグ２に記憶して提供する無線タグ提供装置３からなる。無線タグ提供装置３は電子サービス提供の要求をサーバ装置４へ送信し享受情報を受信して、この享受情報を無線タグ２に書込む。サーバ装置４は、要求に従って享受情報を無線タグ提供装置３へ送信する。携帯電話機１は、無線タグ提供装置３が提供する無線タグ２から享受情報を読み込み、享受情報に基づいてサーバ装置４からコンテンツデータ等の電子サービスを享受する。【選択図】          図１
2007025992.tif 000002
【特許請求の範囲】
【請求項１】
無線タグとデータ通信可能な端末と、上記端末とネットワーク回線を介してデータ通信を行い、上記端末に対して、ネットワーク回線を介して電子サービスの提供をするサーバ装置と、上記サーバ装置とデータ通信を行い、上記サーバ装置が提供する電子サービスを享受するための享受情報を無線タグに記憶して提供する無線タグ提供装置とからなる電子サービス提供システムであって、
上記サーバ装置は、
上記無線タグ提供装置から電子サービス提供の要求を受信し、当該電子サービスを享受するための享受情報を無線タグ提供装置へ送信し、また、上記端末から送信される上記享受情報に基づいて、上記電子サービスを、上記ネットワーク回線を介して上記端末に提供する通信部を有し、
上記無線タグ提供装置は、
上記サーバ装置に対してサービス提供の要求を入力するための入力部と、
上記入力部により入力されたサービス提供の要求を上記サーバ装置へ送信し、上記サーバ装置が送信する上記享受情報を受信する通信部と、
上記通信部が受信する上記享受情報を無線タグに書き込み、上記享受情報が記憶された無線タグを提供する無線タグ提供部とを有し、
上記端末は、
上記無線タグに記憶された上記享受情報を読み込む近距離無線部と、
上記近距離無線部が読み込んだ享受情報に基づいて、上記サーバ装置とデータ通信を行い、上記電子サービスを、上記サーバ装置から上記ネットワーク回線を介して享受する通信部とを有することを特徴とする電子サービス提供システム。
【請求項２】
上記享受情報は、上記サーバ装置が提供する上記電子サービスの識別情報を含むことを特徴とする請求項１に記載の電子サービス提供システム。
【請求項３】
上記享受情報は、上記サーバ装置が提供する上記電子サービスの識別情報および暗証番号を含むことを特徴とする請求項１に記載の電子サービス提供システム。
【請求項４】
サーバ装置とデータ通信を行い、上記サーバ装置からネットワーク回線を介して電子サービスの提供を享受する端末であって、
上記サーバ装置が提供する電子サービスを享受するための享受情報が記憶された上記無線タグから上記享受情報を読み込む近距離無線部と、
上記近距離無線部が読み込んだ享受情報に基づいて、上記サーバ装置とデータ通信を行い、上記電子サービスを、上記サーバ装置から上記ネットワーク回線を介して享受する通信部とを有することを特徴とする端末。
【請求項５】
上記享受情報は、上記サーバ装置が提供する上記電子サービスの識別情報を含むことを特徴とする請求項４に記載の端末。
【請求項６】
上記享受情報は、上記サーバ装置が提供する上記電子サービスの識別情報および暗証番号を含むことを特徴とする請求項４に記載の端末。
【請求項７】
サーバ装置とデータ通信を行い、上記サーバ装置が提供する電子サービスを端末が享受するための享受情報を無線タグに記憶して提供する無線タグ提供装置であって、
上記サーバ装置に対してサービス提供の要求を入力するための入力部と、
上記入力部により入力されたサービス提供の要求を上記サーバ装置へ送信し、上記サーバ装置が送信する上記享受情報を受信する通信部と、
上記通信部が受信する上記享受情報を無線タグに書き込み、上記享受情報が記憶された無線タグを提供する無線タグ提供部とを有することを特徴とする無線タグ提供装置。
【請求項８】
上記享受情報は、上記サーバ装置が提供する上記電子サービスの識別情報を含むことを特徴とする請求項７に記載の無線タグ提供装置。
【請求項９】
上記享受情報は、上記サーバ装置が提供する上記電子サービスの識別情報および暗証番号を含むことを特徴とする請求項７に記載の無線タグ提供装置。
【請求項１０】
無線タグとデータ通信可能な端末とデータ通信を行い、上記端末に対して、電子サービスの提供し、また、上記電子サービスを享受するための享受情報を無線タグに記憶して提供する無線タグ提供装置とデータ通信を行うサーバ装置であって、
上記サーバ装置は、
上記無線タグ提供装置から電子サービス提供の要求を受信したとき、当該電子サービスを享受するための享受情報を無線タグ提供装置へ送信し、また、上記享受情報が記憶された上記無線タグとデータ通信した上記端末から送信される上記享受情報に基づいて、上記電子サービスを上記端末に提供する通信部を有することを特徴とするサーバ装置。
【請求項１１】
上記享受情報は、上記サーバ装置が提供する上記電子サービスの識別情報を含むことを特徴とする請求項１０に記載のサーバ装置。
【請求項１２】
上記享受情報は、上記サーバ装置が提供する上記電子サービスの識別情報および暗証番号を含むことを特徴とする請求項１０に記載のサーバ装置。
【発明の詳細な説明】
【技術分野】
【０００１】
この発明は、電子サービス提供システム、端末、無線タグ提供装置およびサーバ装置に関し、特にＲＦＩＤ（Radio Frequency Identification）無線タグを利用して、端末がサーバ装置から電子サービスの提供を享受する技術に関する。
【背景技術】
【０００２】
近年、ＲＦＩＤを利用したシステムが注目されており、様々な用途に適用され始めている。ＲＦＩＤを使用したシステムの基本構成は、ＲＦＩＤ無線タグと無線を介してデータ通信をするＲＦＩＤリーダライタ装置と、このＲＦＩＤリーダライタ装置を制御するコンピュータ端末とを含んで構成されている。ＲＦＩＤリーダライタ装置は、ＲＦＩＤタグに記憶されたデータに対して、読み出しまたは書き込みを行うことができる。ＲＦＩＤタグは、ラベル型、カード型、コイン型、スティック型など様々な形状があり、用途に応じて選択される。通信距離は数ｍｍ程度のものから数十ｍのものがあり、用途に応じて、使い分けられる。
【０００３】
従来、例えば、パチンコ機等で使用する遊戯媒体を貸し出すためのシステムであって、ＩＤ番号を有するＩＣシール（ＲＦＩＤタグに相当）を用いて遊戯媒体の貸し出しを受けると、ＩＣシールのＩＤ番号に対応づけて、ＬＡＮ回線により接続されたシール販売機や台間機などのメモリに、度数データが記録されるシステムが提案されている（特許文献１）。
【特許文献１】特開２００３−２３６２１７号公報（段落００３１〜段落００３７、図７）
【発明の開示】
【発明が解決しようとする課題】
【０００４】
しかしながら、特許文献１に記載の技術では、ＬＡＮ接続されたシール販売機や台間機等のメモリを有する専用機器を店内に配置する必要があり、他の店ではＩＣシールを使用することもできず、システム自体が閉鎖的なものであった。このため、店ごとに異なるＩＣカードを所持する必要が生じ、また、ＩＣカードを使用できる場所も限定されてしまう。
【課題を解決するための手段】
【０００５】
本発明に係る電子サービス提供システムは、無線タグとデータ通信可能な端末と、端末とネットワーク回線を介してデータ通信を行い、端末に対して、ネットワーク回線を介して電子サービスの提供をするサーバ装置と、サーバ装置とデータ通信を行い、サーバ装置が提供する電子サービスを享受するための享受情報を無線タグに記憶して提供する無線タグ提供装置とからなる電子サービス提供システムであって、サーバ装置は、無線タグ提供装置から電子サービス提供の要求を受信し、当該電子サービスを享受するための享受情報を無線タグ提供装置へ送信し、また、端末から送信される享受情報に基づいて、電子サービスを、ネットワーク回線を介して端末に提供する通信部を有し、無線タグ提供装置は、サーバ装置に対してサービス提供の要求を入力するための入力部と、入力部により入力されたサービス提供の要求をサーバ装置へ送信し、サーバ装置が送信する享受情報を受信する通信部と、通信部が受信する享受情報を無線タグに書き込み、享受情報が記憶された無線タグを提供する無線タグ提供部とを有し、端末は、無線タグに記憶された享受情報を読み込む近距離無線部と、近距離無線部が読み込んだ享受情報に基づいて、サーバ装置とデータ通信を行い、電子サービスを、サーバ装置からネットワーク回線を介して享受する通信部とを有することを特徴とするものである。
このような構成により、端末は、無線タグに記憶された享受情報に基づいて、ネットワーク回線を介して、サーバ装置から電子サービスを享受するので、端末は、場所や商品種類を問わず、どこからでも電子サービスを享受することができる。
【発明の効果】
【０００６】
本発明により、端末は、場所や商品種類を問わず、どこからでも電子サービスを享受することができる。
【発明を実施するための最良の形態】
【０００７】
本発明の実施の形態に係る電子サービス提供システムの構成について、図に基づいて説明する。
図１は、本発明の実施の形態に係る電子サービス提供システムの概略構成を示す図である。
図２は、本発明の実施の形態に係る電子サービス提供システムの構成を示す図である。
図１および図２に示されるように、本発明の実施の形態に係る情報システム１００は、端末としての携帯電話機１と、ＲＦＩＤ無線タグ提供装置３およびサーバ装置４とを備えて構成されている。なお、ＲＦＩＤ無線タグ提供装置３は、例えば、缶ジュース等の自動販売機に内蔵または併設させており、図１ではＲＦＩＤ無線タグ提供装置３を内蔵する缶ジュース等の自動販売機の外観をＲＦＩＤ無線タグ提供装置３として示しており、図２ではＲＦＩＤ無線タグ提供装置３の主要構成のみ示している。
【０００８】
図１および図２に示されるように、携帯電話機１は、ＲＦＩＤ無線タグ２とデータ通信可能である。ＲＦＩＤ無線タグ２は、ＲＦＩＤ無線タグ提供装置３から購入することができる。ＲＦＩＤ無線タグ２は、例えば、粘着材により携帯電話機１に貼り付けられて利用される。携帯電話機１はサーバ装置４との間でデータ通信を行う。サーバ装置４は、携帯電話機１とネットワーク回線５を介してデータ通信を行い、携帯電話機１から送信されるＲＦＩＤ無線タグ２のＩＤを認証し、認証結果に応じて、携帯電話機１に対しネットワーク回線５を介して電子サービス提供認証の許可通知やコンテンツデータ等の電子サービスの提供をする。また、無線タグ提供装置３は、サーバ装置４とデータ通信を行い、サーバ装置３が提供する電子サービスを享受するための享受情報をＲＦＩＤ無線タグ２に記憶して提供する。無線タグ提供装置３は、サーバ装置４が提供するコンテンツのうち購入したいコンテンツの購入要求をサーバ装置４に対して送信する。サーバ装置４は、無線タグ提供装置３からのコンテンツの購入要求に応じて、当該コンテンツを利用するためのＩＤやこのＩＤに対応するパスワードなどを要求元のＲＦＩＤ無線タグ提供装置３へ送信する。
【０００９】
図２に示されるように、携帯電話機１は、短距離無線部としてのＲＦＩＤリーダ１０と、ディスプレイ１１と、通信部としての送受信回路１２と、記憶部としてのメモリ１３と、入力部としてのキーボード１５と、制御部としてのコントローラ１４とを備えている。これらの回路等１０〜１５は、コントロールバス１６により接続されている。
ＲＦＩＤリーダ１０は、コントローラ１４の制御に従って、ＲＦＩＤ無線タグ２に記憶された情報（サーバ装置３が提供する電子サービスを享受するための享受情報）を読み込む。なお、ＲＦＩＤリーダ１０に代えて、ＲＦＩＤ無線タグ２に対して読み出しおよび書き込みを行うことができるＲＦＩＤリーダライタを用いてもよい。
【００１０】
ディスプレイ１１は、例えば、液晶表示装置や有機ＥＬ表示装置により構成され、キーボード１５により入力された文字列や、サーバ装置４から受信する電子サービスの内容を、コントローラ１４の制御に従って表示する。
送受信回路１２は、ＲＦＩＤリーダ１０が読み込んだ情報に基づいて、サーバ装置３とデータ通信を行い、サーバ装置３からネットワーク回線５を介して電子サービスを享受する。なお、一般に、携帯電話機１がインターネット回線５に接続するのに、インターネット回線５に接続された基地局（不図示）を経由する。
【００１１】
メモリ１３には、ＲＦＩＤ無線タグ２に記憶された情報（サーバ装置３が提供する電子サービスを享受するための享受情報）を保存するためのＲＦＩＤ記録領域（不図示）が設けられている。図３に示されるように、ＲＦＩＤ記録領域（不図示）は、ＩＤ、パスワード、商品名、デポジット金額、使用可能期間、使用可能回数等を記録するための領域を有している。
コントローラ１４は、コントロールバス１６により接続された全ての回路等１０〜１３、１５を制御し、携帯電話機１の全ての回路等を制御する。
キーボード１５は、複数の数字キーや記号キー等から構成されており、例えば、各キーは携帯電話機１の表面に配列されている。
【００１２】
図２に示されるように、ＲＦＩＤ無線タグ２は、携帯電話機１やＲＦＩＤ無線タグ提供装置３との間でデータ通信を行う送受信回路２１と、送信されるデータや受信したデータなどを格納するメモリ２２と、送受信回路２１やメモリ２２を含め、当該ＲＦＩＤ無線タグ２全体を制御するコントローラ２３を備えている。これらの回路等２１〜２３はコントロールバス２４により接続されている。
メモリ２２には、図４に示されるように、ＲＦＩＤの固有の認識データをして使用されるＩＤ、パスワード、当該ＩＤに関するデータ情報（図３に示された商品名等と同様の内容であるが、省略記載としている）を格納するエリアが設けられている。
【００１３】
図２に示されるように、ＲＦＩＤ無線タグ提供装置３は、例えば、缶ジュース等の自動販売機に内蔵または併設させており、ディスプレイ３１と、記憶部としてのメモリ３２と、入力部としてのキーボード３３と、ＲＦＩＤ無線タグ提供部としてのＲＦＩＤライタ３４と、通信部としての送受信回路３５と、制御部としてのコントローラ３６とを備えている。これらの回路等３１〜３６は、コントロールバス３７により接続されている。
ディスプレイ３１は、例えば、液晶表示装置や有機ＥＬ（Electro Luminescence）表示装置により構成され、キーボード３３により入力された文字列などの内容等を、コントローラ３６の制御に従って表示する。
【００１４】
メモリ３２には、サーバ装置４が提供する電子サービスを享受するための享受情報を一時的に保存するエリアが設けられている。具体的には、ＩＤやパスワードや当該ＩＤに関するデータ情報等であり、図４に示される内容を同一のものであり、図は省略する。
キーボード３３は、複数の数字キーや記号キー等から構成されており、例えば、各キーはＲＦＩＤ無線タグ提供装置３の正面側に配列されている。キーボード３３は、サーバ装置４に対するサービス提供の要求を入力するために用いられる。
【００１５】
ＲＦＩＤライタ３４は、コントローラ３６の制御に従って、サーバ装置３が提供する電子サービスを享受するための享受情報を、ＲＦＩＤ無線タグ２のメモリ２２に書き込み、サーバ装置３が提供する電子サービスを享受するための享受情報が記憶されたＲＦＩＤ無線タグ２を提供する。具体的には、ＲＦＩＤライタ３４は、メモリ３２に一時保存された、サーバ装置４が提供する電子サービスを享受するための享受情報を、ＲＦＩＤ無線タグ２のメモリ２２に書き込む。なお、ＲＦＩＤライタ３４に代えて、ＲＦＩＤ無線タグ２に対して読み出しおよび書き込みを行うことができるＲＦＩＤリーダライタを用いてもよい。
【００１６】
送受信回路３５は、キーボード３３により入力されたサービス提供の要求を、インターネット回線５を介してサーバ装置３へ送信する。また、送受信回路３５は、サーバ装置３が提供する電子サービスを享受するための享受情報を、インターネット回線５を介して、サーバ装置３から受信する。
コントローラ３６は、コントロールバス３７により接続された全ての回路等３１〜３５を制御し、ＲＦＩＤ無線タグ提供装置３の全ての回路等を制御する。
【００１７】
図２に示されるように、サーバ装置４は、通信部としての送受信回路４０と、メモリ４１と、コントローラ４２とを備えている。これらの回路等４０〜４２はコントロールバス４３により接続されている。
送受信回路４０は、ＲＦＩＤ無線タグ提供装置３から電子サービス提供の要求を、インターネット回線５を介して受信したとき、当該電子サービスを享受するための享受情報を、インターネット回線５を介してＲＦＩＤ無線タグ提供装置３へ送信する。また、送受信回路４０は、携帯電話機１から送信される当該電子サービスを享受するための享受情報に基づいて、当該電子サービスを、ネットワーク回線５を介して携帯電話機１に提供する。
【００１８】
メモリ４１には、サーバ装置３が提供する電子サービス用の媒体が記憶されており、この電子サービスの媒体に関する諸情報が、合わせて記憶されている。電子サービスの媒体に関する諸情報は、例えば、図４に示されるように、ＩＤやパスワードや商品名や使用可能期間や使用可能回数等である。なお、このメモリ４１には、例示として、電子サービスの媒体として複数の音楽データが記憶されているものとする。一方、音楽に限定されず、メモリ４１に動画や写真や文書やゲームソフト等の媒体を記憶してもよい。
コントローラ４２は、送受信回路４０やメモリ４１を含め、当該サーバ装置４全体を制御する。
【００１９】
次に、本発明の実施の形態に係る電子サービス提供システムの動作について、図に基づいて、説明する。
図１に示されるように、まず、電子サービスを受けたい顧客は、ＲＦＩＤ無線タグ提供装置３から、希望するコンテンツ等の電子サービス提供の要求をサーバ装置３へ送信する。具体的には、顧客は、ＲＦＩＤ無線タグ提供装置３のキーボード３３を用いて、提供を受けたいコンテンツ等の電子サービス（例えば、視聴したい音楽や視聴したい期間）を、ディスプレイ３１の表示内容を確認しながら選択・入力して、対応する料金を自動販売機の硬貨または紙幣投入口に投入する。
【００２０】
すると、ＲＦＩＤ無線タグ提供装置３の送受信回路３５が、ネットワーク回線５を介してサーバ装置４に、希望する電子サービス提供の要求を送信する。なお、提供を受けたい電子サービスを選択するとともに、後で受け取る電子サービス内容を閲覧するためのパスワードを別途設定してもよい。
次に、図１に示されるように、サーバ装置４は、ＲＦＩＤ無線タグ提供装置３から、電子サービス提供の要求を受信し、当該電子サービスを享受するための享受情報（以下、単に、享受情報と称する）としてＩＤやパスワード等を、ＲＦＩＤ無線タグ提供装置３へ送信する。具体的には、図４に示されるＩＤやパスワードや要求された商品名（たとえば音楽１）や視聴期間（使用可能期間）等をメモリ４１から抽出し、これらを享受情報として、ＲＦＩＤ無線タグ提供装置３へ送信する。
【００２１】
次に、ＲＦＩＤ無線タグ提供装置３は、送受信回路３５により受信した享受情報を、メモリ３２に一時的に保存する。具体的には、ＲＦＩＤ無線タグ提供装置３は、ＩＤやパスワードや要求された商品名（たとえば音楽１）や視聴期間（使用可能期間）や要求された商品の保管先（例えば、サーバ装置３の番地）を、メモリ３２に一時的に保存する。なお、ＲＦＩＤ無線タグ提供装置３による享受情報の保存状況は、常時、ディスプレイ３１に表示され、顧客は享受情報の保存状況をディスプレイ３１の表示内容により確認することができる。
【００２２】
次に、図１に示されるように、ＲＦＩＤ無線タグ提供装置３は、ＲＦＩＤライタ３４を用いて、享受情報をＲＦＩＤ無線タグ２に書き込み、当該享受情報が記憶されたＲＦＩＤ無線タグ２を顧客に提供する。具体的には、ＲＦＩＤライタ３４がコントローラ３６の制御に従って、メモリ３２に一時的に保存された享受情報を、ＲＦＩＤ無線タグ２のメモリ２２に書き込んだ後、当該享受情報が記憶されたＲＦＩＤ無線タグ２が、ＲＦＩＤ無線タグ２の取り出し口に転送される。
【００２３】
次に、図１に示されるように、顧客は、享受情報が記憶されたＲＦＩＤ無線タグ２を、携帯電話機１の筐体表面に貼り付ける。そして、顧客はキーボード１５によるキー入力により、ＲＦＩＤリーダ１０に対して、ＲＦＩＤ無線タグ２のメモリ２２に記憶された享受情報を読み込みさせる。そして、享受情報の内容がディスプレイ１１に表示され、顧客は、享受情報であるＩＤやパスワードや商品名や使用可能期間等の内容を確認することができる。
【００２４】
次に、図１に示されるように、顧客は、ディスプレイ１１に表示された享受情報から、提供を受けたい商品（コンテンツ）（例えば音楽１）を特定して、当該商品に対応するＩＤを選択する。携帯電話機１の送受信回路１２は、享受情報のうち、選択されたＩＤやパスワードや使用期間等の情報を、インターネット回線５を介して、サーバ装置４へ送信する。この送信時には、当該電子サービスを提供するサーバ装置４を運営するホームページに予め接続しておく。また、該ホームページに予め接続するのに、ＲＦＩＤ無線タグ２に対して読み込みを行った時点で、その読み込み動作に連動して、当該電子サービスを提供するサーバ装置４を運営するホームページ接続するようにしてもよい。
【００２５】
次に、携帯電話機１から享受情報のうち、選択されたＩＤやパスワード等の情報を受信したサーバ装置４は、受信したＩＤおよびパスワードと、メモリ４１に記憶されているＩＤおよびパスワードとを比較して、一致するか否かを判定する。比較の結果、ＩＤおよびパスワードが一致した場合には、サーバ装置４の送受信回路４０は、図１に示されるように、インターネット回線５を介して携帯電話機１へ、電子サービス提供認証の許可通知を行い、顧客により選択された商品内容のデータ（例えば、音楽１の楽曲データ自体）をコンテンツデータとして送信する。そして、携帯電話機１は、送受信回路１２により受信した商品内容のデータ（例えば、音楽１の楽曲データ自体）を、使用可能期間等の関連する情報とともに、メモリ１３に格納する。
【００２６】
一方、比較の結果、ＩＤおよびパスワードが一致しない場合には、サーバ装置４の送受信回路４０は、ＩＤまたはパスワードが不一致である旨を、インターネット回線５を介して携帯電話機１へ送信し、ＩＤまたはパスワードが不一致である旨が、携帯電話機１のディスプレイ１１に表示される。
そして、顧客は、例えば、ディスプレイ１１の表示内容に従って、キーボード３３による操作により、入手した商品のコンテンツデータ（例えば、音楽１の楽曲データ自体）を再生する。
【００２７】
この際、顧客により再生操作が行われたとき、携帯電話機１のコントローラ１４は、メモリ１３に記憶されている当該商品（例えば、音楽１）の使用可能期間を確認し、使用可能期間内であれば、当該商品のコンテンツデータ（例えば、音楽１の楽曲データ自体）を再生するが、使用可能期間外であれば、使用可能期間外である旨をディスプレイ１１に表示する。
なお、電子サービスに係る商品の複数を一度に享受することもできるものとする。すなわち、ＲＦＩＤ無線タグ２に、電子サービスに係る複数の商品に関する享受情報を、記憶するようにしてもよい。
【００２８】
以上のように、携帯電話機１は、ＲＦＩＤ無線タグ２に記憶された享受情報に基づいて、ネットワーク回線５を介して、サーバ装置４から電子サービスを享受するので、携帯電話機１は、場所や商品種類を問わず、どこからでも電子サービスを享受することができる。
また、サーバ装置４が提供する電子サービスを享受するための享受情報はＲＦＩＤ無線タグ２に記憶されて提供されるので、当該ＲＦＩＤ無線タグ２を複数の携帯電話機に貼りかえて使用することにより、複数の携帯電話機で当該電子サービスを享受することができる。また、この際の電子サービス享受に対する対価を、特定の携帯電話機によらずに、複数の携帯電話機から行える。これにより、例えば、電子プリペイドシステムのように、プリペイド行為を行う携帯電話機と、この行為を証明する携帯電話機とを、同一にする必要もなく、同一人が複数の携帯電話機を所有する場合に、それぞれの携帯電話機を用いて、電子サービスを享受することができる。
【００２９】
また、このようなシステムにより、サーバ装置４の電子サービス提供者は、使用可能期間や使用可能回数を制限することにより、使用期間や使用回数の制限を超えて、電子サービスに係る商品自体（例えば、音楽１の楽曲データ自体）が、顧客の携帯電話機１に残存することを防止できる。この結果、商品の違法コピーや海賊版の普及を低減することができる。
また、このようなシステムにより、サーバ装置４の電子サービス提供者は、使用可能期間や使用可能回数を制限することにより、商品の違法コピーや海賊版に対する対策に必要な担保を価格上乗せする必要がなく、より安価に電子サービスを顧客に提供することができる。
【００３０】
以上の説明は、本発明を実施の形態を説明するものであり、本発明が以上の実施の形態に限定されるものではない。また、当業者であれば、以上の実施の形態の各要素を、本発明の範囲において、容易に変更、追加、変換することが可能である。
上記実施態様では、ＲＦＩＤ無線タグ２は携帯電話機１に貼り付けて使用されると説明したが、ＲＦＩＤリーダを有する限り、デスクトップパソコンや携帯情報端末等の通信機器に貼り付けて使用されてもよい。
【図面の簡単な説明】
【００３１】
【図１】本発明の実施の形態に係る電子サービス提供システムの概略構成を示す図である。
【図２】本発明の実施の形態に係る電子サービス提供システムの構成を示す図である。
【図３】携帯電話機のメモリのＲＦＩＤデータ記録領域の内部構成を示す図である。
【図４】ＲＦＩＤ無線タグのメモリの内部構成を示す図である。
【図５】サーバ装置のメモリの内部構成を示す図である。
【符号の説明】
【００３２】
１００  電子サービス提供システム
１  携帯電話機
１０  ＲＦＩＤリーダ
１１  ディスプレイ
１２  送受信回路
１３  メモリ
１４  コントローラ
１５  キーボード
１６  コントロールバス
２  ＲＦＩＤ無線タグ
２１  送受信回路
２２  メモリ
２３  コントローラ
３  ＲＦＩＤ無線タグ提供装置
３１  ディスプレイ
３２  メモリ
３３  キーボード
３４  ＲＦＩＤライタ
３５  送受信回路
３６  コントローラ
４  サーバ装置
４０  送受信回路
４１  メモリ４２
４２  コントローラ
５  ネットワーク回線
【図１】
2007025992.tif 000003
【図２】
2007025992.tif 000004
【図３】
2007025992.tif 000005
【図４】
2007025992.tif 000006
【図５】
2007025992.tif 000007